(57)【要約】  採光スラット（４）は、採光板（５１）と、採光板（５１）を支持する支持部材（２４）と、を備え、採光板（５１）は、光透過性を有する基材と、基材の第１面に設けられた光透過性を有する複数の採光部と、複数の採光部の間に設けられた空隙部と、を備え、空隙部に接する採光部の側面の一部が採光部に入射した光を反射する反射面として機能し、支持部材（２４）は、少なくとも一部が光透過性を有してなり、採光板（５１）の周縁部の少なくとも一部を把持する光吸収性を有した把持部（２５）と、採光板（５１）の第１面もしくは第２面に対向して設けられた板体からなる保護板（２６）と、を備える。
2016002869.tif 000002
【特許請求の範囲】
【請求項１】
採光板と、前記採光板を支持する支持部材と、を備え、
前記採光板は、光透過性を有する基材と、前記基材の第１面に設けられた光透過性を有する複数の採光部と、前記複数の採光部の間に設けられた空隙部と、を備え、前記空隙部に接する前記採光部の側面の一部が前記採光部に入射した光を反射する反射面として機能し、
前記支持部材は、少なくとも一部が光透過性を有してなり、前記採光板の周縁部の少なくとも一部を把持する光吸収性を有した把持部と、前記採光板の第１面もしくは第２面に対向して設けられた光透過性を有する板体からなる保護板と、を備える採光スラット。
【請求項２】
採光板と、前記採光板を支持する支持部材と、を備え、
前記採光板は、光透過性を有する基材と、前記基材の第１面に設けられた光透過性を有する複数の採光部と、前記複数の採光部の間に設けられた空隙部と、を備え、前記空隙部に接する前記採光部の側面の一部が前記採光部に入射した光を反射する反射面として機能し、
前記支持部材は、少なくとも一部が光透過性を有してなり、前記採光板の周縁部の少なくとも一部を把持する光拡散性を有した把持部と、前記採光板の第１面もしくは第２面に対向して設けられた光透過性を有する板体からなる保護板と、を備える採光スラット。
【請求項３】
採光板と、前記採光板を支持する支持部材と、を備え、
前記採光板は、光透過性を有する基材と、前記基材の第１面に設けられた光透過性を有する複数の採光部と、前記複数の採光部の間に設けられた空隙部と、を備え、前記空隙部に接する前記採光部の側面の一部が前記採光部に入射した光を反射する反射面として機能し、
前記支持部材は、前記採光板の周縁部の少なくとも一部を把持する光透過性を有する把持部と、前記採光板の第１面もしくは第２面に対向して設けられた光透過性を有する板体からなる保護板と、を備える採光スラット。
【請求項４】
前記採光板と前記保護板とが、空気層を介して対向している請求項１から３のいずれか一項に記載の採光スラット。
【請求項５】
前記保護板が、光拡散性を有する請求項１から請求項４のいずれか一項に記載の採光スラット。
【請求項６】
光拡散層が、前記採光板を挟んで前記保護板と反対側に設けられる請求項１から請求項４のいずれか一項に記載の採光スラット。
【請求項７】
前記保護板の厚さが、前記保護板の短手方向に沿って順次変化している請求項１から請求項６のいずれか一項に記載の採光スラット。
【請求項８】
前記保護板が、紫外線吸収性もしくは紫外線反射性もしくは赤外線反射性を有する請求項１から請求項７のいずれか一項に記載の採光スラット。
【請求項９】
前記採光板が、互いに構成が異なる複数の採光板を含む請求項１から請求項８のいずれか一項に記載の採光スラット。
【請求項１０】
複数のスラットと、
前記スラットの長手方向を水平方向に向けて前記複数のスラットを連結するとともに前記複数のスラットを鉛直方向に吊り下げる形態で支持する支持機構と、
を備え、
前記複数のスラットのうちの少なくとも一部が、請求項１から請求項９のいずれか一項に記載の採光スラットで構成されている採光装置。
【請求項１１】
前記支持機構は、前記複数のスラットを昇降可能に支持する請求項１０に記載の採光装置。
【請求項１２】
前記支持機構は、前記複数のスラットの傾きを調整可能に支持する請求項１０または請求項１１に記載の採光装置。
【請求項１３】
前記採光スラットは、前記複数のスラットのうちの鉛直方向上部側の一部に設けられている請求項１０から１２のいずれか一項に記載の採光装置。
【請求項１４】
前記複数のスラットのうちの鉛直方向上部側の一部に設けられた第１の採光スラットと、鉛直方向下部側の一部に設けられた第２の採光スラットと、を備え、
前記第２の採光スラットにおける前記保護板の光透過率は、前記第１の採光スラットにおける前記保護板の光透過率よりも低い請求項１２に記載の採光装置。
【請求項１５】
前記支持部材が、前記採光部を支持する第１部分と、前記採光部の第１面もしくは第２面と同一平面上に位置しない第２部分と、を含む請求項９から請求項１３のいずれか一項に記載の採光装置。
【請求項１６】
全閉時に鉛直方向で隣り合う前記スラットどうしの重なり部分が互いの前記把持部のみである請求項１０から１５のいずれか一項に記載の採光装置。
【発明の詳細な説明】
【技術分野】
【０００１】
本発明は、採光スラット及び採光装置に関するものである。
本願は、２０１４年７月２日に、日本に出願された特願２０１４−１３６５８１号に基づき優先権を主張し、その内容をここに援用する。
【背景技術】
【０００２】
例えば、オフィスなどでは、窓ガラス等を通して屋外の自然光（太陽光）が屋内（室内）に入射するため、屋内に居る人に眩しさを感じさせることがある。このため、仕事中に眩しさを感じさせることがないように、また、セキュリティーやプライバシー保護の観点などから、窓ガラスの前面にブラインドやカーテン等を配置する場合がある。これにより、窓ガラスから入射する光を遮光したり、窓ガラスを通して室内を覗き見されるのを防ぐことができる。【０００３】
現在、ブラインドのスラットに微細構造を有する採光部材を用いることで、日中の外光を効率よく採光し、室内の天井などに向けて照射させる方法が提案されている（例えば、特許文献１）。ブラインドにおいて要求される性能として、スラットの角度調整機能、収納性、機械的強度、薄さ、軽量性等が重視される。【０００４】
特許文献１には、フィルム状の変色素子と遮光素子とで導光フィルムを挟み込んでなるアセンブリーが支持座を介してスラットに設けられた構成が開示されている。この構成によれば、支持座によってフィルム状のアセンブリーの強度が確保される。
【先行技術文献】
【特許文献】
【０００５】
【特許文献１】特開２０１４−１５８３１号公報
【発明の概要】
【発明が解決しようとする課題】
【０００６】
以前から、スラットに利用する採光部材の強度を向上させるために、微細構造を剛性の高い断面形状に変えたり、採光部材部材の厚みを増加させたりする方法がある。しかしながら、採光部材の微細構造を特殊な断面形状とした場合には収納性が悪くなる問題が生じ、採光部材の厚みを増加させると軽量性が低下するなどの問題が生じてしまう。【０００７】
本発明の一つの態様は、上記従来技術の問題点に鑑み成されたものであって、スラットの収納性及び軽量化を確保しつつ、剛性を高めたスラットを備えた採光装置、並びにそのような採光装置に用いて好適な採光スラットを提供することを目的の一つとしている。
【課題を解決するための手段】
【０００８】
本発明の一つの態様における採光スラットにおいて、採光板と、前記採光板を支持する支持部材と、を備え、前記採光板は、光透過性を有する基材と、前記基材の第１面に設けられた光透過性を有する複数の採光部と、前記複数の採光部の間に設けられた空隙部と、を備え、前記空隙部に接する前記採光部の側面の一部が前記採光部に入射した光を反射する反射面として機能し、前記支持部材は、少なくとも一部が光透過性を有してなり、前記採光板の周縁部の少なくとも一部を把持する光吸収性を有した把持部と、前記採光板の第１面もしくは第２面に対向して設けられた板体からなる保護板と、を備えた構成としてもよい。【０００９】
本発明の一つの態様における採光スラットにおいて、採光板と、前記採光板を支持する支持部材と、を備え、前記採光板は、光透過性を有する基材と、前記基材の第１面に設けられた光透過性を有する複数の採光部と、前記複数の採光部の間に設けられた空隙部と、を備え、前記空隙部に接する前記採光部の側面の一部が前記採光部に入射した光を反射する反射面として機能し、前記支持部材は、少なくとも一部が光透過性を有してなり、前記採光板の周縁部の少なくとも一部を把持する光拡散性を有した把持部と、前記採光板の第１面もしくは第２面に対向して設けられた板体からなる保護板と、を備えた構成としてもよい。【００１０】
本発明の一つの態様における採光スラットにおいて、採光板と、前記採光板を支持する支持部材と、を備え、前記採光板は、光透過性を有する基材と、前記基材の第１面に設けられた光透過性を有する複数の採光部と、前記複数の採光部の間に設けられた空隙部と、を備え、前記空隙部に接する前記採光部の側面の一部が前記採光部に入射した光を反射する反射面として機能し、前記支持部材は、前記採光板の周縁部の少なくとも一部を把持する光透過性を有する把持部と、前記採光板の第１面もしくは第２面に対向して設けられた光透過性を有する板体からなる保護板と、を備えた構成としてもよい。【００１１】
本発明の一つの態様における採光スラットにおいて、前記採光板と前記保護板とが、空気層を介して対向している構成としてもよい。【００１２】
本発明の一つの態様における採光スラットにおいて、前記保護板が、光拡散性を有する構成としてもよい。【００１３】
本発明の一つの態様における採光スラットにおいて、光拡散層が、前記採光板を挟んで前記保護板と反対側に設けられた構成としてもよい。【００１４】
本発明の一つの態様における採光スラットにおいて、前記保護板の厚さが、前記保護板の短手方向に沿って順次変化している構成としてもよい。【００１５】
本発明の一つの態様における採光スラットにおいて、前記保護板が、紫外線吸収性もしくは紫外線反射性もしくは赤外線反射性を有する構成としてもよい。【００１６】
本発明の一つの態様における採光スラットにおいて、前記採光板が、互いに構成が異なる複数の採光板を含む構成としてもよい。【００１７】
本発明の一つの態様における採光装置は、複数のスラットと、前記スラットの長手方向を水平方向に向けて前記複数のスラットを連結するとともに前記複数のスラットを鉛直方向に吊り下げる形態で支持する支持機構と、を備え、前記複数のスラットのうちの少なくとも一部が、上記の採光スラットで構成されている。【００１８】
本発明の一つの態様における採光装置において、前記支持機構は、前記複数のスラットを昇降可能に支持する構成としてもよい。【００１９】
本発明の一つの態様における採光装置において、前記支持機構は、前記複数のスラットの傾きを調整可能に支持する構成としてもよい。【００２０】
本発明の一つの態様における採光装置において、前記採光スラットは、前記複数のスラットのうちの鉛直方向上部側の一部に設けられている構成としてもよい。【００２１】
本発明の一つの態様における採光装置において、前記複数のスラットのうちの鉛直方向上部側の一部に設けられた第１の採光スラットと、鉛直方向下部側の一部に設けられた第２の採光スラットと、を備え、前記第２の採光スラットにおける前記保護板の光透過率は、前記第１の採光スラットにおける前記保護板の光透過率よりも低い構成としてもよい。【００２２】
本発明の一つの態様における採光装置において、前記支持部材が、前記採光部を支持する第１部分と、前記採光部の第１面もしくは第２面と同一平面上に位置しない第２部分と、を含む構成としてもよい。【００２３】
本発明の一つの態様における採光装置において、全閉時に鉛直方向で隣り合う前記スラットどうしの重なり部分が互いの前記把持部のみである構成としてもよい。
【発明の効果】
【００２４】
以上のように、本発明の一つの態様によれば、屋外の自然光（太陽光）を屋内に効率良く採り入れるとともに、屋内に居る人に眩しさを感じさせずに、屋内の奥の方まで明るく感じさせることができる採光装置、並びにそのような採光装置に用いて好適な採光スラットを提供することが可能である。
【図面の簡単な説明】
【００２５】
【図１】採光装置の外観を示す斜視図。
【図２】採光スラットの概略構成を示す斜視図。
【図３】図２のＡ−Ａ’線に沿う断面図。
【図４Ａ】採光板の概略構成を示す平面図。
【図４Ｂ】図４ＡのＸ−Ｘ線に沿う断面図。
【図５Ａ】図１に示す採光装置の開状態の要部を拡大した斜視図。
【図５Ｂ】図１に示す採光装置の閉状態の要部を拡大した斜視図。
【図６】採光装置が設置された部屋モデルの一例を示す模式図。
【図７】図１に示す採光装置が備える採光部及び遮光部の機能を説明するための斜視図。
【図８Ａ】採光部を構成する採光スラットの機能を説明するための側面図。
【図８Ｂ】採光スラットの重なり幅が大きい場合の光路を示す図。
【図８Ｃ】採光スラットの重なり幅が小さい場合の光路を示す図。
【図９Ａ】遮光部を構成する遮光スラットの機能を説明するための第１の側面図。
【図９Ｂ】遮光部を構成する遮光スラットの機能を説明するための第２の側面図。
【図９Ｃ】遮光部を構成する遮光スラットの機能を説明するための第３の側面図。
【図１０Ａ】支持部材の変形例を示す第１の断面図。
【図１０Ｂ】支持部材の変形例を示す第２の断面図。
【図１０Ｃ】支持部材の変形例を示す第３の断面図。
【図１０Ｄ】支持部材の変形例を示す第４の断面図。
【図１０Ｅ】支持部材の変形例を示す第５の断面図。
【図１１】支持部材の変形例を示す斜視図。
【図１２Ａ】採光スラット及び遮光スラットの傾動動作を説明するための第１の側面図。
【図１２Ｂ】採光スラット及び遮光スラットの傾動動作を説明するための第２の側面図。
【図１２Ｃ】採光スラット及び遮光スラットの傾動動作を説明するための第３の側面図。
【図１３Ａ】採光スラットが備える採光突起部の変形例を示す第１の側面図。
【図１３Ｂ】採光スラットが備える採光突起部の変形例を示す第２の側面図。
【図１３Ｃ】採光スラットが備える採光突起部の変形例を示す第３の側面図。
【図１４】第２実施形態の採光スラットの概略構成を示す断面図。
【図１５】第３実施形態の採光スラットの概略構成を示す断面図。
【図１６】第３実施形態の採光スラットにおける保護板の表面形状を例示する平面図。
【図１７】第４実施形態の採光スラットの概略構成を示す図。
【図１８】第４実施形態の採光スラットの要部を拡大して示す図。
【図１９Ａ】第５実施形態の採光スラットの概略構成を示す図であって、支持部材のみの構成を示す断面図。
【図１９Ｂ】第５実施形態の採光スラットの概略構成を示す図であって、採光スラットの構成を示す断面図。
【図２０】第６実施形態の採光スラットの概略構成を示す断面図。
【図２１Ａ】平板形状の採光スラットを採用したブラインドにおける全閉状態を示す図。
【図２１Ｂ】屈曲した形状の採光スラットを採用したブラインドにおける全閉状態を示す図。
【図２２】第７実施形態の採光スラットの概略構成を示す断面図。
【図２３】第７実施形態の採光スラットの要部を拡大して示す断面図。
【図２４】第８実施形態の採光スラットの概略構成を示す断面図。
【図２５】第９実施形態の採光スラットの概略構成を示す断面図。
【図２６】紫外線反射層を備えた採光スラットの構成を示す断面図。
【図２７Ａ】赤外線反射層を備えた構成を示す図。
【図２７Ｂ】紫外線入射防止層及び赤外線反射層を備えた構成を示す図。
【図２８Ａ】採光装置の変形例を示す図。
【図２８Ｂ】採光スラットの概略構成を示す図。
【図２８Ｃ】着色スラットの概略構成を示す図。
【図２９Ａ】採光スラットの他の構成を示す第１の図。
【図２９Ｂ】採光スラットの他の構成を示す第２の図。
【図２９Ｃ】デザイン性を付与した採光装置の要部を示す図。
【図３０】採光装置及び照明調光システムを備えた部屋モデルを示す図であって、図３１のＢ−Ｂ’線に沿う断面図。
【図３１】部屋モデルの天井を示す平面図。
【図３２】採光装置によって室内に採光された光（自然光）の照度と、室内照明装置による照度（照明調光システム）との関係を示すグラフ。
【発明を実施するための形態】
【００２６】
以下、本発明の実施形態につき、図面を参照して説明する。
なお、以下の説明に用いる各図面では、各部材を認識可能な大きさとするため、各部材の縮尺を適宜変更している。
【００２７】
［第１実施形態］
先ず、本発明の第１実施形態として、例えば図１に示す採光装置１について説明する。
なお、図１は、採光装置１の外観を示す斜視図である。また、以下の説明において、採光装置１の位置関係（上下、左右、前後）については、採光装置１の使用時における位置関係（上下、左右、前後）に基づくものとし、特に説明がない限りは、図面においても、採光装置１の位置関係は、紙面に対する位置関係と一致するものとする。
【００２８】
図１における採光装置１の上下方向をＺ方向、左右方向をＸ方向、前後方向をＹ方向とする。
【００２９】
採光装置１は、図１に示すように、互いに間隔を空けて水平方向（Ｘ方向）に平行に並ぶ複数のスラット２と、複数のスラット２を鉛直方向（Ｚ方向）に吊り下げ自在に支持する支持機構３と、を主として構成されるブラインドである。採光装置１では、複数のスラット２を昇降自在に支持すると共に、複数のスラット２を傾動自在に支持している。
【００３０】
複数のスラット２は、採光性を有する複数の採光スラット４により構成される採光部５と、採光部５の下方に位置して、遮光性を有する複数の遮光スラット６により構成される遮光部７とを有している。なお、以下の説明において、採光スラット４と遮光スラット６とを特に区別しない場合は、スラット２としてまとめて扱うものとする。
【００３１】
図２は、採光スラットの概略構成を示す斜視図である。
図３は、図２のＡ−Ａ’線に沿う断面図である。
採光部５を構成する採光スラット４は、図２及び図３に示すように、採光板５１と、採光板５１を支持する支持部材２４と、を備えている。
【００３２】
支持部材２４は、採光板５１の周縁部の少なくとも一部を把持する光吸収性を有した把持部２５と、採光板５１の微細構造面５１Ａに対向して設けられた光透過性を有する板体からなる保護板２６と、を備えて構成されている。本実施形態では、採光板５１の短手方向（Ｙ方向）両側の側部５１ａ，５１ａが把持部２５により把持されている。
【００３３】
把持部２５は、図２及び図３に示すように、保護板２６によって連結された第１把持部２５Ａ及び第２把持部２５Ｂによって、採光板５１の側部５１ａ，５１ａを把持する構成とされている。第１把持部２５Ａ及び第２把持部２５Ｂには、各々の長手方向全体に亘って、採光板５１の上記側部５１ａ，５１ａを挿入させるための溝部２５ｃがそれぞれ形成されている。溝部２５ｃの寸法構成は、採光板５１の形状に対応して設定されている。採光板５１の形状は、一例として、厚さt＝１ｍｍ、長さＬ＝１０００ｍｍ、幅Ｗ＝２５ｍｍとなっている。なお、把持部２５の厚さは、一例として、３ｍｍ程度である。
【００３４】
把持部２５（第１把持部２５Ａ及び第２把持部２５Ｂ）は、異形押出製法によって作製することができる。この製法は、一方向に連続的な断面形状を形成することが可能であり、長さの調整が行い易い。
【００３５】
把持部２５の形成材料としては、光吸収性を有する材料であれば特に限定はしない。光透過性を有する材料を用いて把持部２５を形成した場合、入射した太陽光の散乱によって迷光が発生してしまうおそれがあることから、本実施形態では光透過性を有しないまたは着色された光透過性を有する材料を選択する。着色された光透過部材は、光の透過率が低いという特性のため迷光を抑制することができる。樹脂や金属などの材料や色について特に限定はしない。
また、エラストマーなどのような柔軟性を有する材料であれば、採光部５を保持しやすい構成となるため好ましい。
【００３６】
保護板２６は、平面視における大きさが、採光板５１の少なくとも採光領域５１Ｒ（後述する複数の採光突起部９が形成された領域）を覆う大きさを有した板材からなる。保護板２６は、短手方向両側に配置される第１把持部２５Ａと第２把持部２５Ｂとに接続され、これらを連結している。保護板２６は、例えば、短手方向両側の側端面２６ｂ，２６ｂが第１把持部２５Ａ及び第２把持部２５Ｂの各内面２５ｂ，２５ｂにそれぞれ当接した状態で固定されている。本実施形態においては、保護板２６の表面２６ａが第１把持部２５Ａ及び第２把持部２５Ｂの各上面２５ａ，２５ａと面一になっているが、必ずしも必須ではない。
【００３７】
保護板２６の材料としては、可視光に対して透明性の高い光透過性を有する材料であれば得に限定はしない。例えば、ポリカーボネート（ＰＣ）、アクリル樹脂（ＰＭＭＡ）、ポリ塩化ビニル（ＰＶＣ）、ポリエチレンテレフタレート（ＰＥＴ）等、が挙げられる。
【００３８】
図４Ａは、採光板の概略構成を示す平面図であり、図４Ｂは、図４ＡのＸ−Ｘ線に沿う断面図である。
採光板５１は、図４Ａ，図４Ｂに示すように、光透過性を有する長尺状の基材８と、基材８の第１面８ａに並んで形成された光透過性を有する複数の採光突起部９と、複数の採光突起部９の間に設けられた空隙部５２と、を有している。複数の採光突起部９は、基材８の第１面８ａ全体に形成されていてもよいし、把持部２５の溝部２５ｃに保持される側部５１ａ，５１ａを除いた、上述の採光領域５１Ｒ（図３）のみに形成されていてもよい。
【００３９】
基材８は、熱可塑性ポリマーや熱硬化性樹脂、光重合性樹脂等の光透過性樹脂からなる。また、光透過性樹脂としては、アクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等からなるものを用いることができる。その中でも、例えば、ポリメタクリル酸メチル樹脂（ＰＭＭＡ）、トリアセチルセルロース（ＴＡＣ）、ポリエチレンテレフタレート（ＰＥＴ）、シクロオレフィンポリマー（ＣＯＰ）、ポリカーボネート（ＰＣ）、ポリエチレンナフタレート（ＰＥＮ）、ポリエーテルサルホン（ＰＥＳ）、ポリイミド（ＰＩ）等を好適に用いることができる。基材８の全光線透過率は、ＪＩＳ  Ｋ７３６１−１の規定で９０％以上が好ましい。これにより、十分な透明性を得ることができる。
【００４０】
採光突起部９は、例えば、アクリル樹脂やエポキシ樹脂、シリコーン樹脂等の光透過性及び感光性を有する有機材料で構成されている。また、これらの有機材料に、重合開始剤やカップリング剤、モノマー、有機溶媒等を混合したものを用いることができる。さらに、重合開始剤は、安定剤、禁止剤、可塑剤、蛍光増白剤、離型剤、連鎖移動剤、他の光重合性単量体等のように、各種の添加成分を含んでいてもよい。その他、特許第４１２９９９１号公報に記載の材料を用いることができる。採光突起部９の全光線透過率は、ＪＩＳ  Ｋ７３６１−１の規定で９０％以上が好ましい。これにより、十分な透明性を得ることができる。
【００４１】
複数の採光突起部９は、基材８の長手方向（Ｘ方向）に延在し、且つ、基材８の短手方向（Ｙ方向）に並んで設けられている。また、各採光突起部９は、断面三角形状のプリズム体を構成している。具体的に、この採光突起部９は、基材８の第１面８ａと対向する第１の面部９ａと、第１の面部９ａと第１の角部１０ａを挟んで隣接する第２の面部９ｂと、第１の面部９ａと第１の角部１０ａとは反対側の第２の角部１０ｂを挟んで隣接し且つ第２の面部９ｂと第３の角部１０ｃを挟んで隣接する第３の面部（反射面：側面）９ｃとを有している。
【００４２】
ここで、複数の採光突起部９の各間には、空気（空隙部５２）が存在しているため、第２の面部９ｂ及び第３の面部９ｃが採光突起部９の構成材料と空気との界面となる。この間には、他の低屈折率材料で充填してもよい。しかしながら、採光突起部９の内部と外部との界面の屈折率差は、外部にいかなる低屈折率材料が存在する場合よりも空気が存在する場合に最大となる。したがって、空気が存在する場合は、スネル（Ｓｎｅｌｌ）の法則より、採光突起部９に入射した光のうち、第２の面部９ｂ又は第３の面部９ｃで全反射する光の臨界角が最も小さくなる。これにより、第２の面部９ｂ又は第３の面部９ｃで全反射される光の入射角の範囲が最も広くなることから、採光突起部９に入射した光を基材８の他面側へと効率良く導くことができる。結果として、採光突起部９に入射した光の損失が抑えられ、基材８の他面から出射される光の輝度を高めることができる。
【００４３】
なお、基材８の屈折率と採光突起部９の屈折率とは略同等であることが望ましい。その理由は、例えば、基材８の屈折率と採光突起部９の屈折率とが大きく異なる場合、光が採光突起部９から基材８に入射したときに、これら採光突起部９と基材８との界面で不要な光の屈折や反射が生じることがある。この場合、所望の採光特性が得られない、輝度が低下するなどの不具合が生じる虞があるからである。
【００４４】
また、採光板５１の製造方法としては、例えば、フォトリソグラフィ技術を用いて基材８の上に複数の採光突起部９を形成することができる。また、フォトリソグラフィ技術を用いる方法以外にも、溶融押し出し法や型押し出し法、インプリント法などの方法によって、採光板５１を製造することができる。溶融押し出し法や型押し出し法などの方法では、基材８と採光突起部９は同一の樹脂によって一体に形成される。
【００４５】
図１に戻り、遮光部７を構成する遮光スラット６は、遮光性を有する長尺板状の基材１１からなる。基材１１は、いわゆるブラインド用のスラットとして一般的に使用されているものであればよく、例えば、金属製や木製、樹脂製のものを挙げることができる。また、基材１１の表面に塗装等を施したものを挙げることができる。
【００４６】
支持機構３は、鉛直方向（複数のスラット２の短手方向）に平行に並ぶ複数のラダーコード１２と、複数のラダーコード１２の上端部を支持する固定ボックス１３と、複数のラダーコード１２の下端部に取り付けられる昇降バー１４とを備えている。
【００４７】
図５Ａ，図５Ｂは、採光装置１の要部を拡大した斜視図であり、図５Ａは、各スラット２の間を開いた状態を示し、図５Ｂは、各スラット２の間を閉じた状態を示す。
【００４８】
ラダーコード１２は、複数のスラット２の中央部を挟んだ左右の両側に一対並んで配置されている。各ラダーコード１２は、図５Ａ，図５Ｂに示すように、互いに平行に並ぶ前後一対の縦コード１５ａ，１５ｂと、縦コード１５ａ，１５ｂの間に掛け渡された上下一対の横コード１６ａ，１６ｂとを有し、且つ、横コード１６ａ，１６ｂが縦コード１５ａ，１５ｂの長手方向（鉛直方向）に等間隔に並んで配置された構成を有している。各スラット２は、縦コード１５ａ，１５ｂと横コード１６ａ，１６ｂとの各間に挿入された状態で配置されている。
【００４９】
図１に示すように、固定ボックス１３は、互いに平行に並ぶ複数のスラット２の最上部に位置して、これら複数のスラット２と平行に並んで配置されている。一方、昇降バー１４は、互いに平行に並ぶ複数のスラット２の最下部に位置して、これら複数のスラット２と平行に並んで配置されている。各ラダーコード１２を構成する縦コード１５ａ，１５ｂは、昇降バー１４の自重により鉛直下向きに引っ張られた状態で、固定ボックス１３より垂下されている。
【００５０】
支持機構３は、複数のスラット２を昇降操作するための昇降操作部１７と、複数のスラット２を傾動操作するための傾動操作部１８とを備えている。
【００５１】
昇降操作部１７は、図１及び図５Ａ，図５Ｂに示すように、複数の昇降コード１９を有している。複数の昇降コード１９は、それぞれラダーコード１２を構成する縦コード１５ａ，１５ｂと平行に並んで配置されている。また、複数の昇降コード１９は、各スラット２に形成された孔部２０を貫通した状態で、その下端部が昇降バー１４に取り付けられている。
【００５２】
また、複数の昇降コード１９は、その上端側が固定ボックス１３の内部で引き回されて、固定ボックス１３の一方側に設けられた窓部２１から引き出されている。窓部２１から引き出された昇降コード１９は、操作コード２２の一端と連結されている。操作コード２２の他端は、昇降バー１４の一端部に取り付けられている。
【００５３】
昇降操作部１７では、昇降バー１４が最下部に位置する状態から、操作コード２２を引っ張ることによって、昇降コード１９が固定ボックス１３の内側へと引き込まれる。これにより、複数のスラット２が下部側から順に昇降バー１４の上に重なり合いながら、昇降バー１４と共に上昇する。昇降コード１９は、窓部２１の内側に設けられたストッパー（図示せず。）により固定される。これにより、昇降バー１４を任意の高さ位置で固定することができる。逆に、ストッパーによる昇降コード１９の固定を解除することによって、昇降バー１４を自重により降下させることができる。これにより、再び昇降バー１４を最下部に位置させることができる。
【００５４】
傾動操作部１８は、図１に示すように、固定ボックス１３の一方側に操作レバー２３を有している。操作レバー２３は、軸回りに回動自在に取り付けられている。傾動操作部１８では、操作レバー２３を軸回りに回動させることによって、図５Ａに示すラダーコード１２を構成する縦コード１５ａ，１５ｂを互いに逆向きに上下方向に移動操作することができる。これにより、図５Ａに示す各スラット２の間を開いた状態と、図５Ｂに示す各スラット２の間を閉じた状態との間で、複数のスラット２を互いに同期させながら傾動させることができる。
【００５５】
以上のような構成を有する採光装置１は、窓ガラス等の上部から吊り下げられた状態で、この窓ガラスの内面に複数のスラット２を対向させた状態で配置される。また、採光部５は、各採光スラット４の採光突起部９が形成された面を窓ガラスに対向させた状態で配置される。
【００５６】
ここで、図６に示す部屋モデル１０００を用いて採光装置１の採光部５及び遮光部７の機能について説明する。なお、図６は、採光装置１が設置された部屋モデル１０００の一例を示す模式図である。
【００５７】
部屋モデル１０００は、例えば採光装置１のオフィスでの使用を想定したモデルである。具体的に、図６に示す部屋モデル１０００は、天井１００１と、床１００２と、窓ガラス１００３が取り付けられた手前の側壁１００４と、手前の側壁１００４と対向する奥の側壁１００５とで囲まれる室内１００６に、窓ガラス１００３を通して屋外の光Ｌが斜め上方から入射する場合を模している。採光装置１は、窓ガラス１００３の内面に対向した状態で配置されている。
【００５８】
部屋モデル１０００では、室内１００６の高さ寸法（天井１００１から床１００２までの寸法）Ｈ１を２．７ｍとし、窓ガラス１００３の縦寸法Ｈ２を天井１００１から１．８ｍとし、採光部５の縦寸法Ｈ３を天井１００１から０．６ｍとし、室内１００６の奥行き寸法（手前の側壁１００４から奥の側壁１００５までの寸法）Ｗを１６ｍとしている。
【００５９】
部屋モデル１０００では、室内１００６の中の方に椅子に座っている人Ｍａと、室内１００６の奥の方に床１００２に立っている人Ｍｂとがいる。椅子に座っている人Ｍａの眼の高さＨａは、床１００２から０．８ｍとし、床１００２に立っている人Ｍｂの眼の高さＨｂは、床１００２から１．８ｍとしている。
【００６０】
室内１００６に居る人Ｍａ，Ｍｂに眩しさを感じさせる領域（以下、グレア領域という。）Ｇは、室内に居る人Ｍａ，Ｍｂの眼の高さＨａ，Ｈｂの範囲である。また、室内１００６の窓ガラス１００３の付近は、主として窓ガラス１００３を通して屋外の光Ｌが直接照射される領域Ｆである。この領域Ｆは、手前の側壁１００４から１ｍの範囲としている。したがって、グレア領域Ｇは、床１００２から０．８ｍ〜１．８ｍの高さ範囲のうち、領域Ｆを除いた手前の側壁１００４より１ｍ離れた位置から奥の側壁１００５までの範囲となっている。
【００６１】
採光部５では、図６及び図７に示すように、各採光スラット４の一面に対して斜め上方から内部に入射した光Ｌを、各採光スラット４の他面から外部へと斜め上方に向けて出射する。具体的に、各採光スラット４では、図８Ａに示すように、第２の面部９ｂから各採光突起部９に入射した光Ｌが第３の面部９ｃで全反射した後、天井１００１に向かう光Ｌとして、基材８の他面から出射される。
【００６２】
図８Ｂに示すように採光スラット４同士の重なり幅が大きい場合、採光スラット４を二回以上通過する光によるグレアが生じる可能性がある。
【００６３】
そのため、最も好ましい形態としては、図８Ｃに示すように鉛直方向で隣り合う採光スラット４どうしの把持部２５のみが互いに重なり合う構成である。ここでは、太陽光は採光スラット４を一回通過するのみであるため、グレアを抑制することができる。また、採光スラット４を透過した光が他の採光スラット４の把持部２５によって遮られる心配もない。
【００６４】
これにより、図６に示すように、窓ガラス１００３を通して室内１００６に入射した光Ｌのうち、グレア領域Ｇに向かう光や床１００２に向かう光の輝度を低減しながら、天井１００１に向かう光の輝度を相対的に高めることが可能である。すなわち、窓ガラス１００３を通して室内１００６に入射した光Ｌを天井１００１に向けて効率良く照射することができる。また、室内１００６に居る人Ｍａ，Ｍｂに眩しさを感じさせることなく、天井１００１に向かう光Ｌを室内１００６の奥の方まで照射することができる。
【００６５】
さらに、天井１００１で反射された光Ｌ’は、照明光の代わりとして、室内１００６を広範囲に亘って明るく照らすことになる。この場合、室内１００６の照明設備を消灯することによって、日中に室内１００６の照明設備が消費するエネルギーを節約する省エネルギー効果が期待できる。
【００６６】
一方、遮光部７では、図６及び図７に示すように、各遮光スラット６の一面に対して斜め上方から内部に入射した光Ｌを、各遮光スラット６により遮光する。遮光部７は、採光部５よりも下方に位置するため、窓ガラス１００３を通して室内１００６に入射した光Ｌのうち、主にグレア領域Ｇに向かう光や床１００２に向かう光を遮光することが可能である。
【００６７】
図９Ａ〜図９Ｃは、遮光部７を構成する遮光スラット６の機能を説明するための側面図であって、図９Ａは、各スラット２の間を開いた状態を示し、図９Ｂは、各スラット２の間を閉じた状態を示し、図９Ｃは、各スラット２の収納状態を示す。
【００６８】
採光装置１では、図９Ａ，図９Ｂに示すように、複数のスラット２を傾動操作することによって、採光部５において天井に向かう光Ｌの角度を調整することができる。一方、遮光部７においては、複数のスラット２を傾動操作することによって、遮光スラット６の各間から入射する光Ｌを調整したり、遮光スラット６の各間から窓ガラス１００３を通して屋外の様子を見たりすることができる。
【００６９】
また、「ＪＩＳ  Ａ４８０１  鋼製及びアルミニウム合金製ベネシャンブラインド」の規定において、スラット２は、幅３５ｍｍ以上のものは３ｍｍ以上、３５ｍｍ未満のものは２ｍｍ以上の重なりしろがあり、かつ、スラット２が全閉状態のとき水平方向から見て向こう側が見えてはならないため、図９Ｂの閉状態におけるスラット２の間隔として、ＪＩＳ規定を満たし把持部２５のみが重なるスラット間隔が好ましい。
【００７０】
また、採光装置１では、図９Ｃに示すように、複数のスラット２を下方側から折り畳みながら昇降バー１４を上昇させていき、例えば、採光部５と遮光部７との境界に昇降バー１４を位置させた場合、窓ガラス１００３の遮光部７と対向する領域を開放した状態することができる。さらに、昇降バー１４を最上部まで上昇させた場合には、窓ガラス１００３の全面を開放することができる。
【００７１】
以上のように、本実施形態の採光装置１を用いた場合には、窓ガラス１００３を通して室内１００６に入射した光Ｌを、採光部５を構成する複数の採光スラット４によって室内１００６の天井１００１に向けて照射するとともに、遮光部７を構成する複数の遮光スラット６によってグレア領域Ｇに向かう光Ｌを遮光することができる。
【００７２】
したがって、この採光装置１によれば、採光部５を通して屋外の自然光（太陽光）を室内１００６に効率良く採り入れると共に、室内１００６に居る人Ｍａ，Ｍｂに眩しさを感じさせずに、室内１００６の奥の方まで明るく感じさせることが可能である。一方、遮光部７によって窓ガラス１００３から入射する光を遮光したり、窓ガラス１００３を通して室内１００６を覗き見されるのを防いだりすることが可能である。
【００７３】
本実施形態の採光スラット４は、図２及び図３に示したように、採光板５１の微細構造側が支持部材２４によって覆われた構成とされているため、開閉動作時や収納時に採光スラット４の微細構造同士が接触したり、使用時にユーザーが微細構造に触れてしまうのを避けることができる。その結果、採光板５１の微細構造を長期的に保護することができる。
【００７４】
また、厚さ０．５〜１．０ｍｍ程度の採光板５１を単独で採光スラット４として用いた場合には経年使用による撓み等の問題が生じてくるが、支持部材２４によって採光板５１を平面状態で支持する構成とすることで、採光板５１の経年変化を防止することが可能である。上述したように、採光スラット４は、採光板５１の両側の側部５１ａ，５１ａを把持部２５の溝部２５ｃ、２５ｃに差し込むことにより、採光板５１と保護板２６との間に空気層Ｋを介在した中空構造とされている。このため、採光板５１の微細構造が保護板２６との接着剤の内部に埋まることもないため採光機能が十分に得られる状態で、軽量且つ機械的強度の高い構成となっている。このように、採光板５１の剛性を確保しながら採光板５１の軽量化を実現することができる。
【００７５】
また、採光板５１の撓みおよび脱落を防止するために、採光板５１の側部５１ａ，５１ａを把持部２５の溝部２５ｃに接着するなどして固定してもよい。これ以外にも、採光板５１の幅方向にテンションを掛ける構成とすることで採光板５１の撓みおよび脱落を防止してもよい。
【００７６】
なお、本発明は、上記第１の実施形態として示す採光装置１の構成に必ずしも限定されるものではなく、本発明の趣旨を逸脱しない範囲において種々の変更を加えることが可能である。
【００７７】
ここで、支持部材の変形例を図１０Ａ〜図１０Ｅ及び図１１に示す。
図１０Ａ〜図１０Ｅは、支持部材の変形例を示す断面図である。
【００７８】
例えば、図１０Ａに示すように、保護板２６の裏面２６ｃ側が第１把持部２５Ａ及び第２把持部２５Ｂの上面２５ａに固定された構成としてもよい。
【００７９】
また、図１０Ｂに示すように、保護板２６の短手方向両側に設けられたテーパー面２６ｄ，２６ｄが、第１把持部２５Ａ及び第２把持部２５Ｂの上部に設けられた各傾斜面２５ｄ，２５ｄに固定された構成としてもよい。
【００８０】
また、図１０Ｃに示すように、保護板２６を介して連結される第１把持部２５Ｃと第２把持部２５Ｄとが金属部材によって構成されていてもよい。
【００８１】
また、図１０Ｄに示すように、保護板２６と採光板５１との間に空気層Ｋが形成されるような配置であれば、保護板２６の表面２６ａと、第１把持部２５Ａ及び第２把持部２５Ｂの各上面２５ａ，２５ａと、が面一になっていなくてもよい。
【００８２】
また、図１０Ｅに示すように、一対の保護板２６，２６を用い、採光板５１の両面側を保護する構成してもよい。一対の保護板２６，２６は、採光板５１を介して互いに面対向するように第１把持部２５Ａ及び第２把持部２５Ｂに固定されている。各保護板２６，２６と採光板５１との間には空気層Ｋが形成されており、中空構造の支持部材２４’とされている。
【００８３】
なお、支持部材２４は、少なくとも一部が光透過性を有する構成とされていれば良く、例えば、図１１に示すように、第１把持部２５Ａ及び第２把持部２５Ｂの少なくとも長手方向両側の端部が連結部材２７によって連結された構成としてもよい。第１把持部２５Ａ及び第２把持部２５Ｂと、隣り合う連結部材２７とによって区画される開口２８に透明部材を組み込んだ構成としてもいいし、開口２８のままにしておいてもよい。
【００８４】
また、上記スラット２の数や大きさ等については、窓ガラス１００３の大きさに合わせて適宜変更を加えることができる。これに合わせて、上記ラダーコード１２については、複数のスラット２を互いに平行な状態で支持するため、その配置する数を増やすことも可能である。
【００８５】
また、上記採光装置１では、複数のスラット２のうち、採光部５を構成する複数の採光スラット４が上部側に配置され、遮光部７を構成する複数の遮光スラット６が下部側に配置された構成となっているが、このような構成に必ずしも限定されるものではなく、複数のスラット２のうち少なくも一部が採光スラット４により構成されていればよい。
【００８６】
また、上記支持機構３では、上述した昇降操作部１７と傾動操作部１８とを手動で操作する構成となっているが、駆動モータ等の駆動手段を用いて、複数のスラット２の昇降操作と、複数のスラット２の傾動操作とを自動で操作する構成としてもよい。
【００８７】
さらに、上記支持機構３では、例えば図１２Ａ〜図１２Ｃに示すように、採光部５を構成する複数の採光スラット４と、遮光部７を構成する複数の遮光スラット６とを、それぞれ独立に傾動操作する構成であってもよい。
【００８８】
具体的に、図６及び図１２Ａに示すように、太陽の高度が比較的高い場合には、採光部５及び遮光部７を閉状態とすることで、窓ガラス１００３を通して室内１００６に入射した光Ｌを採光部５を構成する複数の採光スラット４によって室内１００６の天井１００１に向けて照射すると共に、遮光部７を構成する複数の遮光スラット６によってグレア領域Ｇに向かう光Ｌを遮光する。
【００８９】
一方、図６及び図１２Ｂに示すように、太陽の高度が比較的低い場合には、これに合わせて、採光部５を構成する複数の採光スラット４のみを回動させることによって、各採光スラット４の角度を調整する。これにより、図６及び図１２Ａに示す場合と同様に、窓ガラス１００３を通して室内１００６に入射した光Ｌを採光部５を構成する複数の採光スラット４によって室内１００６の天井１００１に向けて照射することができる。
【００９０】
また、図６及び図１２Ｃに示すように、遮光部７を構成する複数の遮光スラット６のみを回動させることによって、採光部５を閉状態としながら、遮光部７を開状態とすることができる。これにより、窓ガラス１００３を通して室内１００６に入射した光Ｌを採光部５を構成する複数の採光スラット４によって室内１００６の天井１００１に向けて照射すると共に、遮光部７を構成する複数の遮光スラット６の間から窓ガラス１００３を通して屋外の様子を見ることができる。
【００９１】
また、採光突起部９については、長手方向と直交する方向の断面が、上述した断面三角形状のプリズム体により構成されたものに限らず、例えば、図１３Ａに示す採光突起部９Ａのように、断面直角三角形状のプリズム体により構成されたものであってもよく、図１３Ｂに示す採光突起部９Ｂのように、断面台形（矩形）状のプリズム体により構成されていてもよく、その断面形状についても、五角形や六角形など適宜変更を加えることができる。図１３Ｃに、長手方向に直交する方向の断面が六角形状の採光突起部９Ｃを示す。
【００９２】
［第２実施形態の採光スラット］
次に、第２実施形態の採光スラットについて説明する。
以下に示す本実施形態の採光スラットの基本構成は、上記第１実施形態と略同様であるが、本実施形態では支持部材の構成において異なる。よって、以下の説明では、保護板の構成について詳しく説明し、共通な箇所の説明は省略する。また、説明に用いる各図面において、図１〜図１３Ｃと共通の構成要素には同一の符号を付すものとする。
【００９３】
図１４は、第２実施形態の採光スラットの概略構成を示す断面図である。
先に述べた第１実施形態の採光スラットは、支持部材２４が光吸収性を有した把持部２５を備えた構成とされていたが、図１４に示すように、本実施形態の採光スラット３０は、支持部材３４が光拡散性を有する把持部３５を備えた構成となっている。
把持部３５を構成する第１把持部３５Ａ及び第２把持部３５Ｂは、採光板５１から射出された光を拡散させる光拡散体からなる。
【００９４】
光拡散体としては、例えば、数百〜数十μｍ程度の球状の微粒子３１を樹脂３２中に分散させたものを挙げることができる。また、微粒子３１としては、屈折率が周囲の樹脂３２とは異なる材質のものを用いる。これにより、微粒子３１と樹脂３２との界面での屈折作用によって光を拡散させることができる。微粒子３１の材質としては、例えばシリカ（酸化珪素、ｎ（屈折率）＝１．４６）、チタニア（酸化チタン、ｎ（屈折率）＝２．５〜２．７）等の無機材料からなるものや、（メタ）アクリル酸エステル（ｎ＝１．４９〜１．５７）、スチレン（ｎ＝１．６）などを中心としたモノマーを重合して得られる有機材料からなるものなどを用いることができる。これらの物質以外でも、光吸収のある散乱体、反射体などを用いても良い。
【００９５】
採光板５１から射出される光の一部が把持部３５によって僅かながら拡散されることによって、採光板５１から射出される光が柔らかい光となるため、室内側から見たときのぎらつきをなくすことができる。
【００９６】
［第３実施形態の採光スラット］
次に、第３実施形態の採光スラットについて説明する。
以下に示す本実施形態の採光スラットの基本構成は、上記第１実施形態と略同様であるが、保護板の構成において異なる。よって、以下の説明では、保護板の構成について詳しく説明し、共通な箇所の説明は省略する。また、説明に用いる各図面において、図１〜図１３Ｃと共通の構成要素には同一の符号を付すものとする。
【００９７】
図１５は、第３実施形態の採光スラットの概略構成を示す断面図である。図１６は、第３実施形態の採光スラットにおける保護板の表面形状を例示する平面図である。
本実施形態の採光スラット４０は、図１５に示すように、一面側が光拡散面４８とされた保護板４６を有する支持部材４４を備えている。保護板４６における表面４６ａ及び裏面４６ｂのいずれか一方が、面方向に微細な凹凸４７（図１６）が形成された光拡散面４８となっている。
【００９８】
光拡散面４８を有する保護板４６の製造方法としては、プラスチックや金属などを用いて成形またはプレス加工する際に、鏡面仕上げではなく、細かい凹凸模様が表面に形成された金型（鋳型・プレス型）を用意しておき、成形品に金型の凹凸模様を転写するシボ加工を施すことによって製造を採用してもよい。
【００９９】
なお、金型の表面に凹凸模様を形成する際は、エッチングによる化学処理やサンドブラスト、鏡面仕上げにしない研磨処理などの物理的処理によって模様を形成することができる。
【０１００】
本実施形態の採光スラット４０によれば、光拡散性を有した保護板４６を備える構成とすることにより、採光板５１に入射する光、ひいては採光板５１から天井１００１に向かう光が拡散されることによって、より均一な光を天井１００１に向けて照射することができる。
【０１０１】
また、シボ加工によって保護板４６の一面側に光拡散面４８を形成することにより、見た目に高級感を出すことができるとともに、指紋などによる汚れや傷を目立たなくする等の効果を得ることができる。
【０１０２】
［第４実施形態の採光スラット］
次に、本発明の第４実施形態の採光スラットの構成について説明する。
以下に示す本実施形態の採光スラットの基本構成は、上記第１実施形態と略同様であるが、光拡散フィルムをさらに備えた点において異なる。よって、以下の説明では、光散乱フィルムとその周囲の構成について詳しく説明し、共通な箇所の説明は省略する。また、説明に用いる各図面において、図１〜図１３Ｃと共通の構成要素には同一の符号を付すものとする。
【０１０３】
図１７は、第４実施形態の採光スラットの概略構成を示す図である。図１８は、第４実施形態の採光スラットの要部を拡大して示す図である。
本実施形態の採光スラット５０は、図１７に示すように、支持部材２４の把持部２５に、採光板５１と光拡散フィルム（光拡散層）５３とが保持された構成となっている。
【０１０４】
光拡散フィルム５３は、図１７に示すように、平面視における形状及び大きさが採光板５１と略同じ矩形状を呈するもので、採光板５１を挟んで保護板２６と反対側に設けられている。
【０１０５】
具体的に光拡散フィルム５３は、図１８に示すように、採光板５１の裏面（微細構造面５１Ａとは反対側の面）側を覆うようにして配置され、採光板５１から射出された光を拡散させる。光拡散フィルム５３は、光を主に水平方向（採光板５１の長手方向）に拡げるとともに、上下方向（採光板５１の短手方向）にはあまり拡げない異方性の光散乱特性が望ましい。
【０１０６】
把持部２５の一対の溝部２５ｃには、採光板５１と光拡散フィルム５３とが一体となるように挿入されている。ここで、採光板５１と光拡散フィルム５３とは予め貼り合わされることで一体とされていてもよいし、把持部２５の溝部２５ｃに挿入されることで一体的に把持部２５に保持される構成とされていてもよい。溝部２５ｃの幅寸法については、採光板５１及び光拡散フィルム５３の厚みに応じて適宜設定する。
【０１０７】
なお、本実施形態では、光拡散層として１つの光拡散フィルム５３を備えているが、複数の光拡散フィルム５３が積層された構造のものを採用してもよい。
【０１０８】
本実施形態の採光スラット５０によれば、採光板５１の光射出側に光拡散フィルム５３を配置したことによって、採光板５１から天井１００１（図６）に向かう光が光拡散フィルム５３によって拡散される。これにより、より均一な光を天井１００１（図６）に向けて照射することができる。
【０１０９】
［第５実施形態の採光スラット］
次に、本発明の第５実施形態の採光スラットの構成について説明する。
以下に示す本実施形態の採光スラットの基本構成は、上記第１実施形態と略同様であるが、把持部が複数対の溝部を備えた点において異なる。よって、以下の説明では、把持部の構成について詳しく説明し、共通な箇所の説明は省略する。また、説明に用いる各図面において、図１〜図１３Ｃと共通の構成要素には同一の符号を付すものとする。
【０１１０】
図１９Ａ及び図１９Ｂは、第５実施形態の採光スラットの概略構成を示す図であって、図１９Ａは支持部材のみの構成を示す断面図であり、図１９Ｂは、採光スラットの構成を示す断面図である。
図１９Ａに示すように、本実施形態の採光スラット６０は、複数対の溝部６５ａ，６５ｂを有した把持部６５と、保護板２６と、により構成される支持部材６４を備えている。把持部６５は、Ｘ方向に間隔をおいて配置された一対の第１溝部６５ａと、一対の第２溝部６５ｂと、を有し、各々に採光板５１あるいは光拡散フィルム５３が挿入される（図１９Ｂ）。
【０１１１】
本実施形態では、保護板２６側に位置する一対の第１溝部６５ａに採光板５１が挿入され、保護板２６から離れた第２溝部６５ｂに光拡散フィルム５３が挿入された構成となっているが、これに限らない。第１溝部６５ａ及び第２溝部６５ｂのそれぞれにどの部材を保持させるかは、適宜変更することができる。すなわち、採光板５１の他に保持させる部材としては光拡散フィルム５３のみに限らず、採光板５１とは異なる採光特性を有した採光板を保持させてもよい。
【０１１２】
［第６実施形態の採光スラット］
次に、本発明の第６実施形態の採光スラットの構成について説明する。
以下に示す本実施形態の採光スラットの基本構成は、上記第１実施形態と略同様であるが、支持部材が屈曲した形状とされている点において異なる。よって、以下の説明では、支持部材とその周囲の構成について詳しく説明し、共通な箇所の説明は省略する。また、説明に用いる各図面において、図１〜図１３Ｃと共通の構成要素には同一の符号を付すものとする。
【０１１３】
図２０は、第６実施形態の採光スラットの概略構成を示す断面図である。
本実施形態の採光スラット７０は、図２０に示すように、長手方向と直交する方向の断面において採光板５１を支持する支持部材７４が中間部で屈曲した形状とされている。支持部材７４は、採光板５１を支持する第１部分７４Ａと、採光板５１の微細構造面５１Ａもしくは裏面５１Ｂと同一平面上に位置しない第２部分７４Ｂと、を含む。
【０１１４】
具体的には、第１部分７４Ａが、採光板５１と、採光板５１が挿入される一対の溝部２５ｃが設けられた把持部２５と、保護板２６と、を備えて構成されている。第２部分７４Ｂは、把持部２５の上部から延在する遮光部７１により構成されている。このような支持部材７４は、第１部分７４Ａと第２部分７４Ｂとの境界（上記中間部）において屈曲されている。
【０１１５】
遮光部７１は、把持部２５を構成する第１把持部２５Ａ及び第２把持部２５Ｂのうち、上部側の第２把持部２５Ｂに設けられている。遮光部７１は、窓ガラス１００３に平行する保護板２６に対して室内側に向けて先端７１ａを傾けた姿勢とされている。このような遮光部７１は、把持部２５と同じ光吸収性を有する材料を用いて第２把持部２５Ｂと一体に形成される。把持部２５と遮光部７１とのなす角度θは、採光板５１の採光機能等に応じて適宜設定される。
【０１１６】
図２１Ａは、平板形状の採光スラットを採用したブラインドにおける全閉状態を示す図である。図２１Ｂは、屈曲した形状の採光スラットを採用したブラインドにおける全閉状態を示す図である。
【０１１７】
図２１Ａに示すように、平板形状の採光スラットを採用したブラインドの場合、全閉状態にしたときに窓ガラス１００３に対して採光スラット４（採光板５１）は平行にはならず、傾いた状態となる。つまり、平面視において上下方向に並ぶ採光スラットの端部同士が重なり合うことで室内側への光漏れを防止する構造のため、図１に示した昇降コード１９を操作して採光スラット４を起立姿勢にしようとしても、上下方向に並ぶ採光スラット４の端部同士が当接するため垂直な姿勢にはならない。
【０１１８】
一方、図２１Ｂに示すように、屈曲した形状の採光スラット７０を採用したブラインドの場合は、全閉状態としたときに、上下方向に並ぶ各採光スラット７０の一部（採光板５１）が窓ガラス１００３に対して平行な姿勢となる。平面視において上下方向に並ぶ採光スラット７０間の隙間に起因する光漏れは、各採光スラット７０に設けられた遮光部７１によって防止される構成となっている。このため、図２０に示したように、遮光部７１と把持部２５とのなす角度θや遮光部７１の延在長さＬ１については、採光板５１の採光機能だけでなく、上下方向に並ぶ採光スラット７０どうしの配置間隔等も考慮に入れるようにする。
【０１１９】
［第７実施形態の採光スラット］
次に、本発明の第７実施形態の採光スラットの構成について説明する。
以下に示す本実施形態の採光スラットは、異なる採光機能を有する一対の採光板を備えた点において上記実施形態とは異なる。以下の説明では、上記実施形態と共通な箇所の説明は省略し、説明に用いる各図面において、図１〜図１４と共通の構成要素には同一の符号を付すものとする。
【０１２０】
図２２は、第７実施形態の採光スラットの概略構成を示す断面図である。図２３は、第７実施形態の採光スラットの要部を拡大して示す断面図である。
本実施形態の採光スラット８０は、図２２に示すように、互いに異なる採光機能を有する第１採光板（第１の採光スラット）８１及び第２採光板（第２の採光スラット）８２と、第１採光板８１及び第２採光板８２を支持する支持部材８３と、を主として構成されている。採光スラット８０は、その長手方向と直交する方向の断面において支持部材８３の中間部で屈曲した形状とされている。
【０１２１】
支持部材８３は、第１採光板８１を把持する把持部８４と、第２採光板８２を把持する把持部８５と、これら第１採光板８１及び第２採光板８２の微細構造を保護する２つの保護板２６と、を備えている。
【０１２２】
一方の保護板２６は、支持部材８３の上部に位置する把持部８４を介して第１採光板８１に対向して配置され、他方の保護板２６は、支持部材８３の下部に位置する把持部８５を介して第２採光板８２に対向して配置される。
【０１２３】
図２３に示すように、第１採光板８１が備える複数の第１の採光突起部８６と、第２採光板８２が備える複数の第２の採光突起部８７とでは、各々の断面における形状が異なっている。第１の採光突起部８６は、採光スラット８０（第１採光板８１）に入射した光を室内１００６の奥側の天井１００１に向けて出射する角度のプリズム体により構成されている。一方、第２の採光突起部８７は、採光スラット８０（第２採光板８２）に入射した光を室内１００６の窓側の天井１００１に向けて出射する角度のプリズム体により構成されている。
【０１２４】
この構成の場合、採光スラット８０に入射した光Ｌを、第１の採光突起部８６と第２の採光突起部８７とがそれぞれ異なる角度で射出させ、室内１００６の窓側から奥側の天井１００１に向けてそれぞれ照射する。このため、太陽高度にかかわらず、室内１００６の天井１００１の略全体に光を照射することが可能である。また、本実施形態の採光スラット８０は、屈曲した形状を有するため、入射した光を室内１００６の天井１００１に向けて出射する角度を連続的に変化させることができる。これにより、より均一な光Ｌを天井１００１に向けて照射することができる。
【０１２５】
［第８実施形態の採光スラット］
次に、第８実施形態の採光スラットについて説明する。
以下に示す本実施形態の採光スラットの基本構成は、上記第１実施形態と略同様であるが、保護板の厚みが一定ではない点において異なる。よって、以下の説明では、保護板の構成について詳しく説明し、共通な箇所の説明は省略する。また、説明に用いる各図面において、図１〜図１３Ｃと共通の構成要素には同一の符号を付すものとする。
【０１２６】
図２４は、第８実施形態の採光スラットの概略構成を示す断面図である。
採光スラット９０は、図２４に示すように、支持部材９１が、幅方向（短手方向）に厚みが異なる保護板９２と、把持部９３と、を備えた構成とされている。保護板９２は、長手方向に直交する方向における断面が台形を呈しており、表面９２ａに対して裏面９２ｃが凡そ７°程度傾斜している。つまり、保護板９２の板厚は、一方の側面９２ｂから他方の側面９２ｂにかけて増している。
【０１２７】
この構成においては、太陽からの入射光Ｌ１が６０°以上の入射角度βで採光スラット９０に入射した場合、入射光Ｌ１は、保護板９２の裏面９２ｃにおいて全反射されて再び屋外へ射出される。一方、入射光Ｌ２が６０°未満の入射角度αで採光スラット９０に入射した場合には、入射光Ｌ２は、保護板９２の裏面９２ｃにおいて全反射されることなく室内１００６に入射する。
【０１２８】
本実施形態の採光スラット９０によれば、太陽高度が低くなる冬期においては、太陽光を採光して照明や日射熱として活用することができる。また、太陽高度が高い夏期においては、省エネルギーや室内１００６の快適性の観点から、太陽光を採光して室内に入射させるよりも遮光、遮熱することができる。このように採光スラット９０は、季節に応じた機能を発揮する。
【０１２９】
［第９実施形態の採光スラット］
次に、本発明の第９実施形態の採光スラットの構成について説明する。
以下に示す本実施形態の採光スラットの基本構成は、上記第１実施形態と略同様であるが、支持部材が屈曲した形状とされている点において異なる。よって、以下の説明では、支持部材とその周囲の構成について詳しく説明し、共通な箇所の説明は省略する。
また、説明に用いる各図面において、図１〜図１３Ｃと共通の構成要素には同一の符号を付すものとする。
【０１３０】
図２５は、第９実施形態の採光スラットの概略構成を示す断面図である。
採光スラット１００は、図２５に示すように、採光板５１と、採光板５１を支持する支持部材１０１と、を備えてなり、支持部材１０１の光透過部分には紫外線吸収性が付与されている。
【０１３１】
支持部材１０１は、採光板５１を把持する把持部２５と、把持部２５の溝部２５ｃに挿入される採光板５１に面対向する保護板１０２と、を有する。保護板１０２は、紫外線吸収性を有するもので、紫外線吸収剤が添加された透明部材からなる。
【０１３２】
透明樹脂材料を用いて構成された採光板５１は、紫外線によって分子結合が切断されるなどの現象により、色が変色することがある。そのため、採光板の光入射側に存在する保護板１０２に紫外線吸収性を付与しておくことで、採光板５１の変色（黄変）を防止することができる。なお、同じく透明樹脂材料を用いて構成される保護板１０２においても、紫外線吸収剤が添加された材料により構成することで、保護板１０２自体の変色も防止することができる。
【０１３３】
本実施形態では、採光板５１への紫外線対策として、紫外線吸収性を有する保護板１０２を備えた構成としたが、これに限らない。例えば、紫外線吸収性ではなく、紫外線反射性を支持部材１０１に付与してもよい。
【０１３４】
また、図２６に示すように、透明樹脂材料のみからなる保護板２６の表面２６ａに紫外線吸収層１０３あるいは紫外線反射層１０４を設けた構成としてもよい。
【０１３５】
また、保護板２６に赤外線反射性を付与したり、赤外線反射層を別途設けた構成としてもよい。これにより、夏季の暑さの原因となる近赤外線を室内へ取り込まずに済み、夏季における室内での快適性が向上する。
【０１３６】
さらに、紫外線吸収性及び赤外線反射性が共に付加された支持部材としてもよい。
例えば、図２７Ａに示すように、紫外線吸収性が付与された保護板１０２の表面１０２ａに、赤外線反射層１０５を設けてもよい。また、図２７Ｂに示すように、透明樹脂材料からなる保護板２６の表面２６ａ上に、紫外線入射防止層１０６と赤外線反射層１０５とを積層してもよい。
【０１３７】
［採光装置の変形例］
次に、本発明の採光装置の変形例について説明する。
以下に示す本実施形態の採光装置の基本構成は、上記第１実施形態と略同様であるが、ブラインドにおける遮光部の少なくとも一部が、着色された光透過性を有する着色スラットにより構成されている点において異なる。よって、以下の説明では、着色スラットの構成について詳しく説明し、共通な箇所の説明は省略する。
また、説明に用いる各図面において、図１〜図１３Ｃと共通の構成要素には同一の符号を付すものとする。
【０１３８】
図２８Ａは、採光装置の変形例を示す図、図２８Ｂは、採光スラットの概略構成を示す図、図２８Ｃは、着色スラットの概略構成を示す図である。
図２８Ａ，図２８Ｂに示すように、採光装置１２０は、第１採光部５Ａを構成する複数の採光スラット４と、第２採光部７Ａを構成する複数の着色スラット１２２と、を備える。
【０１３９】
着色スラット１２２の基本構成は、図２８Ｂに示す採光スラット４と略同様であるが、採光スラット４の保護板２６が透明部材から構成されているのに対し、図２８Ｃに示す着色スラット１２２の保護板１２３は、所定の色に着色された光透過性を有する部材を用いて構成されている。つまり、着色スラット１２２の保護板１２３は、採光スラット４の保護板２６よりも光の透過率が低いという特性を有している。
【０１４０】
採光装置１２０の下部の第２採光部７Ａは、上部の第１採光部５Ａを構成する採光スラット４よりも光の透過率の低い着色スラット１２２により構成されているため、完全に外光を遮光するスラットよりも室内の明るさを向上させることができる。また、室内に居る人の視線やパソコンモニターに過度なグレア光が入ることもなく、快適な室内環境が得られる。さらに、屋外から室内を覗き見される心配もなく、室内に居る人のプライバシーも確保される。
【０１４１】
なお、第２採光部７Ａを構成する複数のスラット２のうち、全てのスラットが着色スラット１２２であってもよいし、一部分に着色スラット１２２を採用し、残りの部分に上述した遮光スラット６を採用してもよい。また、採光スラット４に代えて、上述したいずれかの実施形態の採光スラットを採用してもよい。
【０１４２】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。各実施形態の構成を適宜組み合わせてもよい。
【０１４３】
上記各実施形態においては、複数の採光スラットが保護板側を窓ガラス１００３側に向けた状態で設置されていたが、保護板側を室内側に向けた状態で採光スラットを設置してもよい。
【０１４４】
例えば、図２９Ａに示す採光スラット１３０のように、採光板５１が、その微細構造面５１Ａを保護板２６とは反対側（窓ガラス１００３側）に向けた姿勢で、把持部２５の溝部２５ｃに挿入された構成としてもよい。
このような構成においても、効率よく外光を採光して室内の天井へ向けて光を射出させることができる。
【０１４５】
また、上記各実施形態においては、採光板５１の短手方向両側の側部５１ａ，５１ａを支持する構成とされているが、長手方向両側の側部を支持する構成としてもよいし、採光板５１の周縁部全体を支持する構成であってもよい。
【０１４６】
また、図２９Ｂに示す採光スラット１３１のように、支持部材１２４を構成する把持部１２５および保護板１２６が光透過性を有した透明な部材から構成されていてもよい。この場合は、把持部１２５の材料として透明エラストマー樹脂が挙げられ、保護板１２６の材料として透明プラスチック、ガラス等が挙げられる。
【０１４７】
ここで、把持部１２５及び保護板１２６の材料例について表１に示す。
【０１４８】
【表１】
2016002869.tif 000003
【０１４９】
表１に示すように、把持部１２５に用いる透明エラストマー樹脂は柔軟性を有しているため採光板５１を保持するのには好ましい。しかしながら、似たような密度を有するアクリル樹脂などに比べるとヤング率が低いため、透明エラストマー樹脂で支持部材１２４の全体を構成すると撓みやすくなる。そのため、透明エラストマー樹脂と同程度の密度を有するアクリル樹脂や、密度及びヤング率がともに高いガラスを用いて保護板１２６を構成することが好ましい。これにより、撓みを抑制し、かつ採光板５１を把持しやすい支持部材１２４を構成することができる。
【０１５０】
把持部１２５が光透過性を有している場合、太陽光を室内に導光する効率が良くなることが考えられる。また、図２９Ｃに示すように、把持部２５が遮光性を有する採光スラット４と、把持部１２５が光透過性を有する採光スラット１３１を交互に配置する構成としてもよい。これにより、迷光を抑制しながらも、採光装置にデザイン性を付与することができる。
【０１５１】
なお、把持部１２５は、その全体が光透過性を有していてもよいが、少なくとも一部が光透過性を有していてもよい。
【０１５２】
［照明調光システム］
図３０は、採光装置及び照明調光システムを備えた部屋モデル２０００であって、図３１のＢ−Ｂ’線に沿う断面図である。図３１は、部屋モデル２０００の天井を示す平面図である。
【０１５３】
部屋モデル２０００において、外光が導入される部屋２００３の天井２００３ａを構成する天井材は、高い光反射性を有していてもよい。図３０及び図３１に示すように、部屋２００３の天井２００３ａには、光反射性を有する天井材として、光反射性天井材２００３Ａが設置されている。光反射性天井材２００３Ａは、窓２００２に設置された採光装置２０１０からの外光を室内の奥の方に導入することを促進することを目的とするもので、窓際の天井２００３ａに設置されている。具体的には、天井２００３ａの所定の領域Ｅ（窓２００２から約３ｍの領域）に設置されている。
【０１５４】
この光反射性天井材２００３Ａは、先に述べたように、採光装置２０１０（上述したいずれかの実施形態の採光装置）が設置された窓２００２を介して室内に導入された外光を室内の奥の方まで効率よく導く働きをする。採光装置２０１０から室内の天井２００３ａへ向けて導入された外光は、光反射性天井材２００３Ａで反射され、向きを変えて室内の奥に置かれた机２００５の机上面２００５ａを照らすことになり、当該机上面２００５ａを明るくする効果を発揮する。
【０１５５】
光反射性天井材２００３Ａは、拡散反射性であってもよいし、鏡面反射性であってもよいが、室内の奥に置かれた机２００５の机上面２００５ａを明るくする効果と、室内に居る人とって不快なグレア光を抑える効果を両立するために、両者の特性が適度にミックスされたものが好ましい。
【０１５６】
採光装置２０１０によって室内に導入された光の多くは、窓２００２の付近の天井に向かうが、窓２００２の近傍は光量が十分である場合が多い。そのため、上記のような光反射性天井材２００３Ａを併用することによって、窓付近の天井（領域Ｅ）に入射した光を、窓際に比べて光量の少ない室内の奥の方へ振り分けることができる。
【０１５７】
光反射性天井材２００３Ａは、例えば、アルミニウムのような金属板に数十ミクロン程度の凹凸によるエンボス加工を施したり、同様の凹凸を形成した樹脂基板の表面にアルミのような金属薄膜を蒸着したりして作成することができる。あるいは、エンボス加工によって形成される凹凸がもっと大きな周期の曲面で形成されていてもよい。
【０１５８】
さらに、光反射性天井材２００３Ａに形成するエンボス形状を適宜変えることによって、光の配光特性や室内における光の分布を制御することができる。例えば、室内の奥の方に延在するストライプ状にエンボス加工を施した場合は、光反射性天井材２００３Ａで反射した光が、窓２００２の左右方向（凹凸の長手方向に交差する方向）に拡がる。部屋２００３の窓２００２の大きさや向きが限られているような場合は、このような性質を利用して、光反射性天井材２００３Ａによって光を水平方向へ拡散させるとともに、室内の奥の方向へ向けて反射させることができる。
【０１５９】
採光装置２０１０は、部屋２００３の照明調光システムの一部として用いられる。照明調光システムは、例えば、採光装置２０１０と、複数の室内照明装置２００７と、窓に設置された日射調整装置２００８と、これらの制御系と、天井２００３ａに設置された光反射性天井材２００３Ａと、を含む部屋全体の構成部材から構成される。
【０１６０】
部屋２００３の窓２００２には、上部側に採光装置２０１０が設置され、下部側に日射調整装置２００８が設置されている。ここでは、日射調整装置２００８として、ブラインドが設置されているが、これに限らない。
【０１６１】
部屋２００３には、複数の室内照明装置２００７が、窓２００２の左右方向（Ｙ方向）および室内の奥行き方向（Ｘ方向）に格子状に配置されている。これら複数の室内照明装置２００７は、採光装置２０１０と併せて部屋２００３の全体の照明システムを構成している。
【０１６２】
図３０及び図３１に示すように、例えば、窓２００２の左右方向（Ｙ方向）の長さＬ１が１８ｍ、部屋２００３の奥行方向（Ｘ方向）の長さＬ２が９ｍのオフィスの天井２００３ａを示す。ここでは、室内照明装置２００７は、天井２００３ａの横方向（Ｙ方向）及び奥行方向（Ｘ方向）に、それぞれ１．８ｍの間隔Ｐをおいて格子状に配置されている。
より具体的には、５０個の室内照明装置２００７が１０行（Ｙ方向）×５列（Ｘ方向）に配列されている。
【０１６３】
室内照明装置２００７は、室内照明器具２００７ａと、明るさ検出部２００７ｂと、制御部２００７ｃと、を備え、室内照明器具２００７ａに明るさ検出部２００７ｂ及び制御部２００７ｃが一体化されて構成されたものである。
【０１６４】
室内照明装置２００７は、室内照明器具２００７ａ及び明るさ検出部２００７ｂをそれぞれ複数ずつ備えていてもよい。但し、明るさ検出部２００７ｂは、各室内照明器具２００７ａに対して１個ずつ設けられる。明るさ検出部２００７ｂは、室内照明器具２００７ａが照明する被照射面の反射光を受光して、被照射面の照度を検出する。ここでは、明るさ検出部２００ｂによって、室内に置かれた机２００５の机上面２００５ａの照度を検出する。
【０１６５】
各室内照明装置２００７に１個ずつ設けられた制御部２００７ｃは、互いに接続されている。各室内照明装置２００７は、互いに接続された制御部２００７ｃにより、各々の明るさ検出部２００７ｂが検出する机上面２００５ａの照度が一定の目標照度Ｌ０（例えば、平均照度：７５０ｌｘ）になるように、それぞれの室内照明器具２００７ａのＬＥＤランプの光出力を調整するフィードバック制御を行っている。
【０１６６】
図３２は、採光装置によって室内に採光された光（自然光）の照度と、室内照明装置による照度（照明調光システム）との関係を示すグラフである。図３２において、縦軸は机上面の照度（ｌｘ）を示し、横軸は窓からの距離（ｍ）を示している。また、図中の破線は、室内の目標照度を示している。（●：採光装置による照度、△：室内照明装置による照度、◇：合計照度）
図３２に示すように、採光装置２０１０により採光された光に起因する机上面照度は、窓近傍ほど明るく、窓から遠くなるに従ってその効果は小さくなる。採光装置２０１０を適用した部屋では、昼間において窓からの自然採光によりこのような部屋奥方向への照度分布が生じる。そこで、採光装置２０１０は、室内の照度分布を補償する室内照明装置２００７と併用して用いられる。室内天井に設置された室内照明装置２００７は、それぞれの装置の下の平均照度を明るさ検出部２００７ｂによって検出し、部屋全体の机上面照度が一定の目標照度Ｌ０になるように調光制御されて点灯する。従って、窓近傍に設置されているＳ１列、Ｓ２列はほとんど点灯せず、Ｓ３列、Ｓ４列、Ｓ５列と部屋奥方向に向かうに従って出力を上げながら点灯される。結果として、部屋の机上面は自然採光による照度と室内照明装置２００７による照明の合計で照らされ、部屋全体に渡って執務をする上で十分とされる机上面照度である７５０ｌｘ（「ＪＩＳ  Ｚ９１１０  照明総則」の執務室における推奨維持照度）を実現することができる。
【０１６７】
以上述べたように、採光装置２０１０と照明調光システム（室内照明装置２００７）とを併用することにより、室内の奥の方まで光を届けることが可能となり、室内の明るさをさらに向上させることができるとともに部屋全体に渡って執務をする上で十分とされる机上面照度を確保することができる。したがって、季節や天気による影響を受けずにより一層安定した明るい光環境が得られる。
【産業上の利用可能性】
【０１６８】
本発明の一つの態様は、スラットの収納性及び軽量化を確保しつつ、剛性を高めることが必要な採光スラット及び採光装置などに適用することができる。
【符号の説明】
【０１６９】
１，１２０…採光装置、２…スラット、３…支持機構、４，３０，４０，５０，６０，７０，８０，９０，１００，１３０…採光スラット、８１…第１採光板（第１の採光スラット）、８２…第２採光板（第２の採光スラット）、５…採光部、８，１１…基材、８ａ…面、９ｃ…第３の面部（反射面）、Ｋ…空気層、５２…空隙部、Ｌ…光、ｔ…厚さ、２４，３４，４４，６４，７４，８３，９１，１０１…支持部材、２５，３５，６５，８４，８５，９３…把持部、２６，４６，９２，１０２，１２３…保護板、５１…採光板、５３…光拡散フィルム（光拡散層）
【図１】
2016002869.tif 000004
【図２】
2016002869.tif 000005
【図３】
2016002869.tif 000006
【図４Ａ】
2016002869.tif 000007
【図４Ｂ】
2016002869.tif 000008
【図５Ａ】
2016002869.tif 000009
【図５Ｂ】
2016002869.tif 000010
【図６】
2016002869.tif 000011
【図７】
2016002869.tif 000012
【図８Ａ】
2016002869.tif 000013
【図８Ｂ】
2016002869.tif 000014
【図８Ｃ】
2016002869.tif 000015
【図９Ａ】
2016002869.tif 000016
【図９Ｂ】
2016002869.tif 000017
【図９Ｃ】
2016002869.tif 000018
【図１０Ａ】
2016002869.tif 000019
【図１０Ｂ】
2016002869.tif 000020
【図１０Ｃ】
2016002869.tif 000021
【図１０Ｄ】
2016002869.tif 000022
【図１０Ｅ】
2016002869.tif 000023
【図１１】
2016002869.tif 000024
【図１２Ａ】
2016002869.tif 000025
【図１２Ｂ】
2016002869.tif 000026
【図１２Ｃ】
2016002869.tif 000027
【図１３Ａ】
2016002869.tif 000028
【図１３Ｂ】
2016002869.tif 000029
【図１３Ｃ】
2016002869.tif 000030
【図１４】
2016002869.tif 000031
【図１５】
2016002869.tif 000032
【図１７】
2016002869.tif 000033
【図１８】
2016002869.tif 000034
【図１９Ａ】
2016002869.tif 000035
【図１９Ｂ】
2016002869.tif 000036
【図２０】
2016002869.tif 000037
【図２１Ａ】
2016002869.tif 000038
【図２１Ｂ】
2016002869.tif 000039
【図２２】
2016002869.tif 000040
【図２３】
2016002869.tif 000041
【図２４】
2016002869.tif 000042
【図２５】
2016002869.tif 000043
【図２６】
2016002869.tif 000044
【図２７Ａ】
2016002869.tif 000045
【図２７Ｂ】
2016002869.tif 000046
【図２８Ａ】
2016002869.tif 000047
【図２８Ｂ】
2016002869.tif 000048
【図２８Ｃ】
2016002869.tif 000049
【図２９Ａ】
2016002869.tif 000050
【図２９Ｂ】
2016002869.tif 000051
【図２９Ｃ】
2016002869.tif 000052
【図３０】
2016002869.tif 000053
【図３１】
2016002869.tif 000054
【図３２】
2016002869.tif 000055
【図１６】
2016002869.tif 000056
【国際調査報告】
2016002869.tif 000057
2016002869.tif 000058
2016002869.tif 000059
2016002869.tif 000060